(57)【要約】【課題】  装置本体と構成体との通信の切換えを操作者に報知できる通信装置を提供する。【解決手段】  操作表示構成体が装置本体から離脱されると装置本体および操作表示構成体間で有線通信する本体有線データ処理部および有線データ処理部と、装置本体および操作表示構成体間で無線通信する本体無線データ処理部および無線データ処理部と、装置本体に対する操作表示構成体の着脱状態を検出する本体着脱制御部および着脱制御部と、装置本体に対する操作表示構成体の着脱状態の変化を報知する表示部と、操作者の操作に基づいて情報を入力する入力部とを有し、装置本体に対する操作表示構成体の着脱状態が変化したと判定すると、着脱状態が変化したことを報知するように表示部が制御され、かつ情報の入力動作を停止するように入力部が制御される。【選択図】      図１
2005101832.tif 000002
【特許請求の範囲】
【請求項１】
装置本体と、装置本体に着脱可能な構成体とを備える電子装置であって、
構成体が装置本体から離脱されると切断される通信線を介して装置本体および構成体間で有線通信する有線通信部、ならびに装置本体および構成体間で無線通信する無線通信部を有する通信手段と、
装置本体に構成体が装着されている装着状態および装置本体から構成体が離脱されている離脱状態のいずれの状態であるか、装置本体に対する構成体の着脱状態を検出する着脱検出手段と、
装置本体に対する構成体の着脱状態の変化を報知するための報知手段と、
操作者の操作に基づいて、装置本体および構成体間で通信すべき情報を入力する入力手段と、
装着状態であることが検出手段によって検出される場合、入力手段によって入力される情報を、有線通信部によって有線通信し、離脱状態であることが検出手段によって検出される場合、入力手段によって入力される情報を、無線通信部によって無線通信するように、通信手段を制御するとともに、検出手段の検出結果から着脱状態の変化の有無を判定し、着脱状態が変化したと判定すると、着脱状態が変化したことを報知するように報知手段を制御し、かつ情報の入力動作を停止するように入力手段を制御する制御手段とを含むことを特徴とする電子装置。
【請求項２】
制御手段は、有線通信から無線通信への切換え、および無線通信から有線通信の切換えが完了すると、着脱状態が変化したことの報知を停止するように報知手段を制御し、かつ情報の入力動作を再開するように入力手段を制御することを特徴とする請求項１記載の電子装置。
【請求項３】
装置本体と、装置本体に着脱可能な構成体とを備える電子装置であって、
構成体が装置本体から離脱されると切断される通信線を介して装置本体および構成体間で有線通信する有線通信部、ならびに装置本体および構成体間で無線通信する無線通信部を有する通信手段と、
装置本体に構成体が装着されている装着状態および装置本体から構成体が離脱されている離脱状態のいずれの状態であるか、装置本体に対する構成体の着脱状態を検出する着脱検出手段と、
装置本体に対する構成体の着脱状態の変化を報知するための報知手段と、
通信回線を介して接続される他の電子装置と通信する装置間通信手段と、
操作者の操作に基づいて、電子装置間で通信すべき音声情報を入出力する音声入出力手段と、
装着状態であることが検出手段によって検出される場合、入力手段によって入力される情報を、有線通信部によって有線通信し、離脱状態であることが検出手段によって検出される場合、入力手段によって入力される情報を、無線通信部によって無線通信するように、通信手段を制御するとともに、検出手段の検出結果から着脱状態の変化の有無を判定し、他の電子装置と通信しているときに、着脱状態が変化したと判定すると、着脱状態が変化したことを報知するように報知手段を制御し、かつ情報の音声情報の入力動作を停止するように音声入出力手段を制御し、かつ音声情報の通信を一時停止することを他の電子装置に報知するように装置間通信手段を制御する制御手段とを含むことを特徴とする電子装置。
【請求項４】
制御手段は、有線通信から無線通信への切換え、および無線通信から有線通信の切換えが完了すると、着脱状態が変化したことの報知を停止するように報知手段を制御し、かつ音声情報の入力動作を再開するように入力手段を制御し、かつ他の電子装置への音声情報の通信を一時停止することの報知を停止することを特徴とする請求項３記載の電子装置。
【請求項５】
装置本体と、装置本体に着脱可能な構成体とを備える電子装置であって、
構成体が装置本体から離脱されると切断される通信線を介して装置本体および構成体間で有線通信する有線通信部、ならびに装置本体および構成体間で無線通信する無線通信部を有する通信手段と、
装置本体に構成体が装着されている装着状態および装置本体から構成体が離脱されている離脱状態のいずれの状態であるか、装置本体に対する構成体の着脱状態を検出する着脱検出手段と、
装置本体に対する構成体の着脱状態の変化を報知するための報知手段と、
通信回線を介して接続される他の電子装置と通信する装置間通信手段と、
操作者の操作に基づいて、電子装置間で通信すべき音声情報を入出力する音声入出力手段と、
装着状態であることが検出手段によって検出される場合、入力手段によって入力される情報を、有線通信部によって有線通信し、離脱状態であることが検出手段によって検出される場合、入力手段によって入力される情報を、無線通信部によって無線通信するように、通信手段を制御するとともに、検出手段の検出結果から着脱状態の変化の有無を判定し、他の電子装置と通信しているときに、着脱状態が変化したと判定すると、電子装置の操作に関する操作情報を報知するように報知手段を制御する制御手段とを含むことを特徴とする電子装置。
【請求項６】
装置本体と、装置本体に着脱可能な構成体とを備える電子装置であって、
装置本体および構成体間で通信する第１通信部と、装置本体および構成体間で通信する第１通信部とは異なる第２通信部とを有する通信手段と、
装置本体および構成体間で第１通信部によって通信可能な第１通信可能状態および装置本体および構成体間で第２通信部によって通信可能な第２通信可能状態のいずれの状態であるか、装置本体および構成体間の通信可能状態を検出する通信状態検出手段と、
装置本体および構成体間の通信可能状態の変化を報知するための報知手段と、
操作者の操作に基づいて、装置本体および構成体間で通信すべき情報を入力する入力手段と、
第１通信可能状態であることが検出手段によって検出される場合、入力手段によって入力される情報を、第１通信部によって通信し、第２通信可能状態であることが検出手段によって検出される場合、入力手段によって入力される情報を、第２通信部によって通信するように、通信手段を制御するとともに、検出手段の検出結果から通信可能状態の変化の有無を判定し、通信可能状態が変化したと判定すると、通信可能状態が変化したことを報知するように報知手段を制御し、かつ情報の入力動作を停止するように入力手段を制御する制御手段とを含むことを特徴とする電子装置。
【発明の詳細な説明】
【技術分野】
【０００１】
本発明は、ファクシミリ装置および電話装置などの電子装置に関する。
【背景技術】
【０００２】
図２は、従来技術である電話システム１を模式的に示す図である。図２に示す典型的な従来技術は、特許文献１に記載されている。電話システム１は、電話回線２ａ，２ｂおよび予備回線３ａ，３ｂに電気的に接続される複数の電話コンセント４ａ，４ｂのいずれかに、電話機５に電気的に接続されるプラグ６を装着する。電話機５が図示しない他の電話機と通信を行っている状態で、一方の電話コンセント４ａに装着されているプラグ６を離脱して他方の電話コンセント４ｂに装着すると、保留制御回路７によって、プラグ６が一方の電話コンセント４ａから離脱してから他方の電話コンセント４ｂに装着されるまでの間に、電話機５と他の電話機との通信が切断されないようにしている。
【０００３】
【特許文献１】特開昭６２−４８１５８号公報
【発明の開示】
【発明が解決しようとする課題】
【０００４】
前述のような従来技術の電話システム１では、プラグ６の電話コンセント４ａ，４ｂへの装着状態を切換えるときに、電話機５と他の電話機との通信は切断されないけれども、通話はできなくなる状態になる。たとえば電話機５の操作者が、このような状態になっていることを知らずに電話機５を操作しようとすると、通話ができないので故障していると勘違いする恐れがある。またこのような状態では、電話機５と通話している他の電話機の操作者は、電話機５との通話が切断されたと勘違いする恐れがある。
【０００５】
本発明の目的は、装置本体と構成体との通信の切換えを操作者に報知できる通信装置を提供することである。
【課題を解決するための手段】
【０００６】
本発明は、装置本体と、装置本体に着脱可能な構成体とを備える電子装置であって、
構成体が装置本体から離脱されると切断される通信線を介して装置本体および構成体間で有線通信する有線通信部、ならびに装置本体および構成体間で無線通信する無線通信部を有する通信手段と、
装置本体に構成体が装着されている装着状態および装置本体から構成体が離脱されている離脱状態のいずれの状態であるか、装置本体に対する構成体の着脱状態を検出する着脱検出手段と、
装置本体に対する構成体の着脱状態の変化を報知するための報知手段と、
操作者の操作に基づいて、装置本体および構成体間で通信すべき情報を入力する入力手段と、
装着状態であることが検出手段によって検出される場合、入力手段によって入力される情報を、有線通信部によって有線通信し、離脱状態であることが検出手段によって検出される場合、入力手段によって入力される情報を、無線通信部によって無線通信するように、通信手段を制御するとともに、検出手段の検出結果から着脱状態の変化の有無を判定し、着脱状態が変化したと判定すると、着脱状態が変化したことを報知するように報知手段を制御し、かつ情報の入力動作を停止するように入力手段を制御する制御手段とを含むことを特徴とする電子装置である。
【０００７】
また本発明は、制御手段は、有線通信から無線通信への切換え、および無線通信から有線通信の切換えが完了すると、着脱状態が変化したことの報知を停止するように報知手段を制御し、かつ情報の入力動作を再開するように入力手段を制御することを特徴とする。
【０００８】
また本発明は、装置本体と、装置本体に着脱可能な構成体とを備える電子装置であって、
構成体が装置本体から離脱されると切断される通信線を介して装置本体および構成体間で有線通信する有線通信部、ならびに装置本体および構成体間で無線通信する無線通信部を有する通信手段と、
装置本体に構成体が装着されている装着状態および装置本体から構成体が離脱されている離脱状態のいずれの状態であるか、装置本体に対する構成体の着脱状態を検出する着脱検出手段と、
装置本体に対する構成体の着脱状態の変化を報知するための報知手段と、
通信回線を介して接続される他の電子装置と通信する装置間通信手段と、
操作者の操作に基づいて、電子装置間で通信すべき音声情報を入出力する音声入出力手段と、
装着状態であることが検出手段によって検出される場合、入力手段によって入力される情報を、有線通信部によって有線通信し、離脱状態であることが検出手段によって検出される場合、入力手段によって入力される情報を、無線通信部によって無線通信するように、通信手段を制御するとともに、検出手段の検出結果から着脱状態の変化の有無を判定し、他の電子装置と通信しているときに、着脱状態が変化したと判定すると、着脱状態が変化したことを報知するように報知手段を制御し、かつ情報の音声情報の入力動作を停止するように音声入出力手段を制御し、かつ音声情報の通信を一時停止することを他の電子装置に報知するように装置間通信手段を制御する制御手段とを含むことを特徴とする電子装置である。
【０００９】
また本発明は、制御手段は、有線通信から無線通信への切換え、および無線通信から有線通信の切換えが完了すると、着脱状態が変化したことの報知を停止するように報知手段を制御し、かつ音声情報の入力動作を再開するように入力手段を制御し、かつ他の電子装置への音声情報の通信を一時停止することの報知を停止することを特徴とする。
【００１０】
また本発明は、装置本体と、装置本体に着脱可能な構成体とを備える電子装置であって、
構成体が装置本体から離脱されると切断される通信線を介して装置本体および構成体間で有線通信する有線通信部、ならびに装置本体および構成体間で無線通信する無線通信部を有する通信手段と、
装置本体に構成体が装着されている装着状態および装置本体から構成体が離脱されている離脱状態のいずれの状態であるか、装置本体に対する構成体の着脱状態を検出する着脱検出手段と、
装置本体に対する構成体の着脱状態の変化を報知するための報知手段と、
通信回線を介して接続される他の電子装置と通信する装置間通信手段と、
操作者の操作に基づいて、電子装置間で通信すべき音声情報を入出力する音声入出力手段と、
装着状態であることが検出手段によって検出される場合、入力手段によって入力される情報を、有線通信部によって有線通信し、離脱状態であることが検出手段によって検出される場合、入力手段によって入力される情報を、無線通信部によって無線通信するように、通信手段を制御するとともに、検出手段の検出結果から着脱状態の変化の有無を判定し、他の電子装置と通信しているときに、着脱状態が変化したと判定すると、電子装置の操作に関する操作情報を報知するように報知手段を制御する制御手段とを含むことを特徴とする電子装置である。
【００１１】
また本発明は、装置本体と、装置本体に着脱可能な構成体とを備える電子装置であって、
装置本体および構成体間で通信する第１通信部と、装置本体および構成体間で通信する第１通信部とは異なる第２通信部とを有する通信手段と、
装置本体および構成体間で第１通信部によって通信可能な第１通信可能状態および装置本体および構成体間で第２通信部によって通信可能な第２通信可能状態のいずれの状態であるか、装置本体および構成体間の通信可能状態を検出する通信状態検出手段と、
装置本体および構成体間の通信可能状態の変化を報知するための報知手段と、
操作者の操作に基づいて、装置本体および構成体間で通信すべき情報を入力する入力手段と、
第１通信可能状態であることが検出手段によって検出される場合、入力手段によって入力される情報を、第１通信部によって通信し、第２通信可能状態であることが検出手段によって検出される場合、入力手段によって入力される情報を、第２通信部によって通信するように、通信手段を制御するとともに、検出手段の検出結果から通信可能状態の変化の有無を判定し、通信可能状態が変化したと判定すると、通信可能状態が変化したことを報知するように報知手段を制御し、かつ情報の入力動作を停止するように入力手段を制御する制御手段とを含むことを特徴とする電子装置である。
【発明の効果】
【００１２】
本発明によれば、通信手段は、構成体が装置本体から離脱されると切断される通信線を介して装置本体および構成体間で有線通信する有線通信部、ならびに装置本体および構成体間で無線通信する無線通信部を有する。着脱検出手段は、装置本体に構成体が装着されている装着状態および装置本体から構成体が離脱されている離脱状態のいずれの状態であるか、装置本体に対する構成体の着脱状態を検出する。報知手段は、装置本体に対する構成体の着脱状態の変化を報知する。入力手段は、操作者の操作に基づいて、装置本体および構成体間で通信すべき情報を入力する。制御手段は、装着状態であることが検出手段によって検出される場合、入力手段によって入力される情報を、有線通信部によって有線通信するように通信手段を制御する。また制御手段は、離脱状態であることが検出手段によって検出される場合、入力手段によって入力される情報を、無線通信部によって無線通信するように、通信手段を制御する。さらに制御手段は、検出手段の検出結果から着脱状態の変化の有無を判定し、着脱状態が変化したと判定すると、着脱状態が変化したことを報知するように報知手段を制御し、かつ情報の入力動作を停止するように入力手段を制御する。このように操作者は、装置本体に対する構成体の着脱状態が変化したことを確認することができるとともに、このときに操作者に対して入力手段を操作しないように促すことができる。これによって装置本体に対する構成体の着脱状態が変化したことによる通信の変化において入力手段から情報が入力されてしまい、当該入力された情報の一部が欠落して装置本体および構成体間で正確に情報の通信ができなくなることを防止することができる。
【００１３】
また本発明によれば、制御手段は、有線通信から無線通信への切換え、および無線通信から有線通信の切換えが完了すると、着脱状態が変化したことの報知を停止するように報知手段を制御し、かつ情報の入力動作を再開するように入力手段を制御する。これによって装置本体および構成体間で正確に情報の通信ができるようになってから、入力手段から情報を入力して装置本体および構成体間で通信を行うことができる。
【００１４】
また本発明によれば、通信手段は、構成体が装置本体から離脱されると切断される通信線を介して装置本体および構成体間で有線通信する有線通信部、ならびに装置本体および構成体間で無線通信する無線通信部を有する。着脱検出手段は、装置本体に構成体が装着されている装着状態および装置本体から構成体が離脱されている離脱状態のいずれの状態であるか、装置本体に対する構成体の着脱状態を検出する。報知手段は、装置本体に対する構成体の着脱状態の変化を報知する。装置間通信手段は、通信回線を介して接続される他の電子装置と通信する。音声入出力手段は、操作者の操作に基づいて、電子装置間で通信すべき音声情報を入出力する。制御手段は、装着状態であることが検出手段によって検出される場合、入力手段によって入力される情報を、有線通信部によって有線通信するように通信手段を制御する。また制御手段は、離脱状態であることが検出手段によって検出される場合、入力手段によって入力される情報を、無線通信部によって無線通信するように、通信手段を制御する。さらに制御手段は、検出手段の検出結果から着脱状態の変化の有無を判定し、他の電子装置と通信しているときに、着脱状態が変化したと判定すると、着脱状態が変化したことを報知するように報知手段を制御し、かつ情報の音声情報の入力動作を停止するように音声入出力手段を制御し、かつ音声情報の通信を一時停止することを他の電子装置に報知するように装置間通信手段を制御する。このように操作者は、装置本体に対する構成体の着脱状態が変化したことを確認することができるとともに、このときに操作者に対して音声入出力手段を操作しないように促すことができる。また他の電子装置の操作者は、音声情報の通信を一時停止することを確認することができる。これによって装置本体に対する構成体の着脱状態が変化したことによる通信の変化において入力手段から情報が入力されてしまい、当該入力された情報の一部が欠落して装置本体および構成体間で正確に情報の通信ができなくなることを防止することができる。
【００１５】
また本発明によれば、制御手段は、有線通信から無線通信への切換え、および無線通信から有線通信の切換えが完了すると、着脱状態が変化したことの報知を停止するように報知手段を制御し、かつ音声情報の入力動作を再開するように入力手段を制御し、かつ他の電子装置への音声情報の通信を一時停止することの報知を停止する。これによって装置本体および構成体間で正確に情報の通信ができるようになってから、音声入出力手段から情報を入力して装置本体および構成体間で通信を行うことができるとともに、他の電子装置と通信を行うことができる。
【００１６】
また本発明によれば、通信手段は、構成体が装置本体から離脱されると切断される通信線を介して装置本体および構成体間で有線通信する有線通信部、ならびに装置本体および構成体間で無線通信する無線通信部を有する。着脱検出手段は、装置本体に構成体が装着されている装着状態および装置本体から構成体が離脱されている離脱状態のいずれの状態であるか、装置本体に対する構成体の着脱状態を検出する。報知手段は、装置本体に対する構成体の着脱状態の変化を報知する。装置間通信手段は、通信回線を介して接続される他の電子装置と通信する。音声入出力手段は、操作者の操作に基づいて、電子装置間で通信すべき音声情報を入出力する。制御手段は、装着状態であることが検出手段によって検出される場合、入力手段によって入力される情報を、有線通信部によって有線通信するように通信手段を制御する。また制御手段は、離脱状態であることが検出手段によって検出される場合、入力手段によって入力される情報を、無線通信部によって無線通信するように、通信手段を制御する。さらに制御手段は、検出手段の検出結果から着脱状態の変化の有無を判定し、他の電子装置と通信しているときに、着脱状態が変化したと判定すると、電子装置の操作に関する操作情報を報知するように報知手段を制御する。これによって着脱状態が変化したときに、操作者は、たとえば着脱状態が変化した後の電子装置の操作に関連する操作情報を確認することができる。
【００１７】
また本発明によれば、通信手段は、装置本体および構成体間で通信する第１通信部と、装置本体および構成体間で通信する第１通信部とは異なる第２通信部とを有する。通信状態検出手段は、装置本体および構成体間で第１通信部によって通信可能な第１通信可能状態および装置本体および構成体間で第２通信部によって通信可能な第２通信可能状態のいずれの状態であるか、装置本体および構成体間の通信可能状態を検出する。報知手段は、装置本体および構成体間の通信可能状態の変化を報知する。入力手段は、操作者の操作に基づいて、装置本体および構成体間で通信すべき情報を入力する。制御手段は、第１通信可能状態であることが検出手段によって検出される場合、入力手段によって入力される情報を、第１通信部によって通信するように通信手段を制御する。また制御手段は、第２通信可能状態であることが検出手段によって検出される場合、入力手段によって入力される情報を、第２通信部によって通信するように、通信手段を制御する。さらに制御手段は、検出手段の検出結果から通信可能状態の変化の有無を判定し、通信可能状態が変化したと判定すると、通信可能状態が変化したことを報知するように報知手段を制御し、かつ情報の入力動作を停止するように入力手段を制御する。このように操作者は、装置本体および構成体間の通信可能状態が変化したことを確認することができるとともに、このときに操作者に対して入力手段を操作しないように促すことができる。これによって装置本体および構成体間の通信可能状態が変化したときに入力手段から情報が入力されてしまい、当該入力された情報の一部が欠落して装置本体および構成体間で正確に情報の通信ができなくなることを防止することができる。
【発明を実施するための最良の形態】
【００１８】
図１は、本発明の実施の一形態のファクシミリ装置１０の構成を示すブロック図である。電子装置であるファクシミリ装置１０は、公衆回線を介して電気的に接続される他の電話装置およびファクシミリ装置と通話可能であり、前記他のファクシミリ装置と画像の通信が可能である。ファクシミリ装置１０は、装置本体１１および操作表示構成体１２を含んで構成される。操作表示構成体１２は、装置本体１１に着脱可能である。
【００１９】
装置本体１１は、本体入力部１３、本体記憶部１４、回線制御部１５、回線データ変換部１６、本体音声制御部１７、読取制御部１８、印字制御部１９、本体有線データ処理部２０、本体着脱制御部２１、本体接続部２２、本体無線データ処理部２３、本体無線制御部２４および本体制御部２５を含んで構成される。本体入力部１３は、後述する操作表示構成体１２の表示部２６に操作ボタンおよび各種情報を表示する制御を行うとともに、操作表示構成体１２の入力部２８の入力操作を検出する。本体記憶部１４は、各種情報を記憶する。
【００２０】
回線制御部１５は、通信回線に電気的に接続され、通信回線を介して接続される他の電話装置およびファクシミリ装置などの通信装置との通信の制御を行う。回線データ変換部１６は、回線制御部１５によって受信された通信回線を介して接続される他の通信装置からの情報を、本体制御部２５によって実行されるプログラムで処理可能なコード化情報に復調変換するとともに、コード化情報を前記他の通信装置に送信可能な形式に変調変換する。このようなコード化情報は、本体記憶部１４に記憶される。回線制御部１５で通信回線を介して接続される他の通信装置から与えられた情報は、回線データ変換部１６によって本体制御部２５が処理可能なコード化情報に変換されて、本体記憶部１４に記憶される。前記情報は、本体入力部１３の制御によって操作表示構成体１２に与えられて、表示部２６で表示されてもよい。また前記情報は、回線制御部１５によって、通信回線を介して接続される他の通信装置に与えるようにしてもよい。
【００２１】
本体音声制御部１７は、たとえば送話器および受話器を有するハンドセットを含み、操作者の入力操作によって音声情報が入力される。また本体音声制御部１７は、回線制御部１５を介して音声情報を、他の通信装置に送信するとともに、回線制御部１５を介して他の通信装置からの音声情報を出力する。読取制御部１８は、記録紙に記録されている画像を光学的に読み取って、本体制御部２５によって実行されるプログラムで処理可能な形式の画像情報に変換する。このように変換された画像情報は、本体記憶部１４に記憶される。印字制御部１９は、本体記憶部１４に記憶されている画像情報に基づいて記録紙に画像を形成する。
【００２２】
本体有線データ処理部２０は、後述する操作表示構成体１２の有線データ処理部３１との有線通信の制御を行う。本体着脱制御部２１は、装置本体１１の本体接続部２２と後述する操作表示構成体１２の接続部３３との電気的な接続状態を検出し、本体接続部２２と接続部３３とが電気的に接続されている場合には、装置本体１１と操作表示構成体１２との通信を本体有線データ処理部２０と有線データ処理部３１とによる有線通信で行い、本体接続部２２と接続部３３とが電気的に接続されていない場合には、装置本体１１と操作表示構成体１２との通信を本体無線データ処理部２３と無線データ処理部１４とによる無線通信で行うように制御する。本体接続部２２は、後述する操作表示構成体１２の接続部３３と着脱可能である。装置本体１１に操作表示構成体１２が装着されている装着状態では、装置本体１１の本体接続部２２は、操作表示構成体１２の接続部に電気的に接続され、装置本体１１から操作表示構成体１２が離脱されている離脱状態では、装置本体１１の本体接続部２２は、操作表示構成体１２の接続部に電気的に接続されない。
【００２３】
本体無線データ処理部２３および本体無線制御部２４は、操作表示構成体１２が装置本体１１から離脱している状態で、装置本体１１と操作表示構成体１２との無線通信の制御を行う。本体制御部２５は、たとえば中央演算処理装置（略称：ＣＰＵ）で実現され、ファクシミリ装置１０を統括的に制御する。
【００２４】
操作表示構成体１２は、表示部２６、表示制御部２７、入力部２８、記憶部２９、音声制御部３０、有線データ処理部３１、着脱制御部３２、接続部３３、無線データ処理部３４、無線制御部３５および制御部３６を含んで構成される。表示部２６は、たとえば液晶表示装置（略称：ＬＣＤ）で実現される。表示制御部２７は、記憶部２９に記憶されている画像情報を表示部２６に表示するように制御する。入力部２８は、たとえばタッチパネルで実現され、操作者の入力操作によって各種情報が入力される。記憶部２９は、表示部２６に表示すべき画像情報などが記憶される。音声制御部３０は、音声情報を再生して出力する。
【００２５】
有線データ処理部３１は、操作表示構成体１２が装置本体１１に装着されている装着状態で、前述の本体有線データ処理部２０との有線通信の制御を行う。着脱制御部３２は、操作表示構成体１２の接続部３３と装置本体２２の本体接続部２２との電気的な接続状態を検出し、接続部３３と本体接続部２２とが電気的に接続されている場合には、装置本体１１と操作表示構成体１２との通信を有線通信で行い、接続部３３と本体接続部２２とが電気的に接続されていない場合には、操作表示構成体１２と装置本体１１との通信を無線通信で行うように制御する。接続部３３は、前述の装置本体１１の本体接続部２２と着脱可能である。
【００２６】
無線データ処理部３４および無線制御部３５は、操作表示構成体１２が装置本体１１から離脱している離脱状態で、操作表示構成体１２と装置本体１１との無線通信の制御を行う。制御部３６は、たとえば中央演算処理装置で実現され、操作表示構成体１２を統括的に制御する。
【００２７】
本実施の形態において、有線通信部は本体有線データ処理部２０および有線データ処理部３１で構成される。通信線は、本体接続部２２および接続部３３で構成される。無線制御部は、本体無線データ処理部２３および本体無線制御部２４ならびに無線データ処理部３４および無線制御部３５で構成される。着脱検出手段は、本体着脱制御部２１および着脱制御部３２で構成される。報知手段は、表示部２６および音声制御部３０で構成される。入力手段は、本体入力部１３および入力部２８で構成される。制御手段は、本体着脱制御部２１および本体制御部２５ならびに着脱制御部３２および制御部３６で構成される。装置間通信手段は、回線制御部１５で構成される。音声入出力手段は、本体音声制御部１７および音声制御部３０で構成される。
【００２８】
装置本体１１に操作表示構成体１２が装着されている状態では、装置本体１１の本体入力部１３によって制御される本体有線データ処理部２０で処理された操作ガイダンス画面を表す画像情報のコード化情報は、本体記憶部１４に記憶されるとともに本体着脱制御部２１に与えられる。このように本体着脱制御部２１に与えられた画像情報のコード化情報は、本体接続部２２ならびに操作表示構成体１２の接続部３３、着脱制御部３２および有線データ処理部３１を介して表示制御部２７に与えられて、表示部２６に前記操作ガイダンス画面が表示される。
【００２９】
操作者が操作表示構成体１２の表示部２６の操作ガイダンス画面を見て、入力部２８を入力操作して情報を入力すると、入力された情報である入力情報は、入力部２８から有線データ処理部３１を介して着脱制御部３２に与えられる。着脱制御部３２に与えられた入力情報は、接続部３３ならびに装置本体１１の本体接続部２２および本体着脱制御部２１を介して本体有線データ処理部２０に与えられる。本体有線データ処理部２０に与えられた入力情報は、本体有線データ処理部２０によって本体制御部２５が処理可能なコード化情報に変換されて、本体記憶部１４に記憶される。本体記憶部１４に記憶された入力情報のコード化情報は、本体制御部２５によって所定の処理が施されて、さらに本体入力部１３の制御によって前述と同様にして操作表示構成体１２に与えられて、表示部２６に表示される。
【００３０】
操作表示構成体１２が装置本体１１から離脱している状態では、装置本体１１の本体入力部１３によって制御される本体無線データ処理部２３で処理された操作ガイダンス画面を表す画像情報のコード化情報は、本体記憶部１４に記憶されるとともに本体無線制御部２４に与えられる。このように本体無線制御部２４に与えられた画像情報のコード化情報は、操作表示構成体１２の無線制御部３５および無線データ処理部３４を介して表示制御部２７に与えられて、表示部２６に前記操作ガイダンス画面が表示される。
【００３１】
操作者が操作表示構成体１２の表示部２６の操作ガイダンス画面を見て、入力部２８を入力操作して情報を入力すると、入力された情報である入力情報は、入力部２８から無線データ処理部３４を介して無線制御部３５に与えられる。無線制御部３５に与えられた入力情報は、装置本体１１の無線接続部２４を介して本体無線データ処理部２３に与えられる。本体無線データ処理部２３に与えられた入力情報は、本体無線データ処理部２３によって本体制御部２５が処理可能なコード化情報に変換されて、本体記憶部１４に記憶される。本体記憶部１４に記憶された入力情報のコード化情報は、本体制御部２５によって所定の処理が施されて、さらに本体入力部１３の制御によって前述と同様にして操作表示構成体１２に与えられて、表示部２６に表示される。
【００３２】
操作表示構成体１２が装置本体１１に装着されていて、本体接続部２２および接続部３３を介して情報がやりとりされているときに、操作表示構成体１２が装置本体１１から離脱したり、操作表示構成体１２が装置本体１１から離脱していて、本体無線制御部２４および無線制御部３５を介して情報がやりとりされているときに、操作表示構成体１２が装置本体１１に装着された場合、すなわち装置本体１１と操作表示構成体１２との着脱状態が変化した場合、装置本体１１と操作表示構成体１２との間でやり取りされている情報が欠落したり、操作者による入力部２８の入力操作が中断したりする可能性がある。このような装置本体１１と操作表示構成体１２との着脱状態の変化は装置本体１１の本体着脱制御部２１および操作表示構成体１２の着脱制御部３２によって検出される。
【００３３】
操作表示構成体１２が装置本体１１に装着されていて、本体接続部２２および接続部３３を介して情報がやりとりされているときに、操作表示構成体１２が装置本体１１から離脱すると、装置本体１１の本体有線データ処理部２１および操作表示構成体１２の有線データ処理部３１は、本体無線データ処理部２３および無線データ処理部３４に対して、本体無線制御部２４および無線制御部３５を介する無線通信で情報をやり取りするように制御するとともに、情報の欠落を防止するために、接続状態が変化する直前にやり取りされた情報を再度やり取りするように制御する。また操作表示構成体１２が装置本体１１から離脱していて、本体無線制御部２４および無線制御部３５を介して情報がやりとりされているときに、操作表示構成体１２が装置本体１１に装着されると、装置本体１１の本体無線データ処理部２３および操作表示構成体１２の無線データ処理部３４は、本体有線データ処理部２０および有線データ処理部３１に対して、本体接続部２２および接続部３３を介する有線通信で情報をやり取りするように制御するとともに、情報の欠落を防止するために、接続状態が変化する直前にやり取りされた情報を再度やり取りするように制御する。
【００３４】
このように有線通信から無線通信への切換え、および無線通信から有線通信への切換えが行われるときに、着脱制御部３２は、表示制御部２７を制御して、通信が切り替え中であることを操作者に報知するために、その旨の画像メッセージを表示部２６に表示させる。またこのとき、着脱制御部３２は、音声制御部２７を制御して、通信が切り替え中であることを操作者に報知するために、その旨の音声メッセージを出力させてもよい。また切換えが完了するまでは入力部２８の入力動作を一時停止するように制御部３６によって制御される。
【００３５】
操作表示構成体１２が装置本体１１に装着されていて、本体接続部２２および接続部３３を介して情報がやりとりされているときに、操作表示構成体１２が装置本体１１から離脱すると、操作者が通信回線を介して接続される他の通信装置と通話中であるときには、本体音声制御部１７は、回線制御部１５に対して通信回線を介しての他の通信装置との接続を維持したまま通話を中断するように制御して、回線制御部１５を介して通話相手である通信装置に、通信が切り替え中である旨の音声案内または保留音を与える。有線通信から無線通信への切換えが完了すると、本体音声制御部１７は、音声案内または保留音を停止して、他の通信装置との通話を再開させる。
【００３６】
操作表示構成体１２が装置本体１１から離脱されていて、本体無線制御部２３および無線制御部３５を介して情報がやりとりされているときに、操作表示構成体１２が装置本体１１に装着されると、操作者が通信回線を介して接続される他の通信装置と通話中であるときには、本体音声制御部１７は、回線制御部１５に対して通信回線を介しての他の通信装置との接続を維持したまま通話を中断するように制御して、回線制御部１５を介して通話相手である通信装置に、通信が切り替え中である旨の音声案内または保留音を与える。無線通信から有線通信への切換えが完了すると、表示制御部２７は表示部２６に「ハンドセットをとってください」などメッセージを表示させて、本体音声制御部１７は、ハンドセットが操作者によって持ち上げられてオフフックとなると、音声案内および保留音を停止して、他の通信装置との通話を再開させる。
【００３７】
操作表示構成体１２が装置本体１１に装着されていて、本体接続部２２および接続部３３を介して情報がやりとりされているときに、操作表示構成体１２が装置本体１１から離脱すると、操作者が操作表示構成体１２の入力部２８を入力操作しているときには、表示制御部２７は、操作表示構成体１２が装置本体１１から離脱する直前に表示部２６に表示していた情報を記憶部２９に記憶させて、通信が切り替え中である旨のメッセージを表示部２６に表示させる。またこのとき音声制御部３０は、通信が切り替え中である旨の音声案内を出力するようにしてもよい。有線通信から無線通信への切換えが完了すると、表示制御部２６は記憶部２９に記憶されている操作表示構成体１２が装置本体１１から離脱する直前に表示部２６に表示していた情報を表示部２６に表示させ、操作者に入力操作を再開させる。
【００３８】
本実施の形態のファクシミリ装置１０における本体有線データ処理部２０、本体着脱制御部および本体接続部２２ならびに有線データ処理部３１、着脱制御部３２および接続部３３の代わりに、たとえばＢｌｕｅｔｏｏｔｈ（登録商標）による無線通信を行う第１の通信手段とし、さらに本体無線データ処理部２３および本体無線制御部２４ならびに無線データ処理部３４および無線制御部３５の代わりに、たとえばＩＥＥＥ８０２．１１ｂによる無線通信を行う第２の通信手段として、これらの第１および第２の通信手段の通信可能な状態に基づいて、第１および第２の通信手段を切換えるようにしてもよい。このとき通信手段が切換ることを示すメッセージを表示部２６に表示させて、入力部２８の動作を一時停止するようにしてもよい。
【図面の簡単な説明】
【００３９】
【図１】本発明の実施の一形態のファクシミリ装置１０の構成を示すブロック図である。
【図２】従来技術である電話システム１を模式的に示す図である。
【符号の説明】
【００４０】
１０  ファクシミリ装置
１１  装置本体
１２  操作表示構成体
２０  本体有線データ処理部
２１  本体着脱制御部
２２  本体接続部
２３  本体無線データ処理部
２４  本体無線制御部
２６  表示部
２８  入力部
３０  音声制御部
３１  有線データ処理部
３２  着脱制御部
３３  接続部
３４  無線データ処理部
３５  無線制御部
【図１】
2005101832.tif 000003
【図２】
2005101832.tif 000004